(57)【要約】【課題】複数の操作部材が表出することがなく、しかも開閉操作を行う指と施解錠操作を行う指とが同一となる引戸用把手の構造を得る。【解決手段】引戸１９の開閉先端部２１に回動自在に内設されたカマ状デッドボルトと、カマ状デッドボルトに形成されたギア部と、ギア部に噛合する昇降ラックと、木口から進退自在となって開閉先端部２１に内設され木口からの突出位置で昇降ラックの移動を規制する一方、引戸内に後退した位置で昇降ラックの移動規制を解除するトリガー５３と、開閉先端部２１の縦框２３に支持軸を介して一端が回動自在に支持される第１回動部材６７、及び連結軸を介して一端が第１回動部材６７の他端に回動自在に連結され他端が前記昇降ラックに回動自在に係合される第２回動部材からなり、連結軸を中心にくの字状に折曲可能とされる折曲部を具備し、この折曲部が曲げられた際に縦框２３から所定量突出するハンドル部６５とを設けた。【選択図】      図１
2008057178.tif 000002
【特許請求の範囲】
【請求項１】
引戸の開閉先端部に回動自在に内設され該回動によって引戸の木口から進退自在となって建物側枠体に係止可能なカマ状デッドボルトと、
該カマ状デッドボルトの回動方向に沿う外周部に形成されたギア部と、
前記引戸の開閉先端部に上下方向で移動自在に内設され該ギア部に噛合する昇降ラックと、
前記木口から進退自在となって前記引戸の開閉先端部に内設され前記木口からの突出位置で前記昇降ラックの移動を規制する一方、引戸内に後退した位置で前記昇降ラックの移動規制を解除するトリガーと、
前記引戸の開閉先端部の縦框に引戸開閉方向に沿う支持軸を介して一端が回動自在に支持される第１回動部材、及び前記支持軸と同方向の連結軸を介して一端が該第１回動部材の他端に回動自在に連結され他端が前記昇降ラックに回動自在に係合される第２回動部材からなり、前記連結軸を中心にくの字状に折曲可能とされる折曲部を具備し、該折曲部がくの字状に曲げられた際に前記縦框から戸面に垂直な方向へ所定量突出するハンドル部と、
を具備したことを特徴とする引戸用把手の構造。
【請求項２】
前記昇降ラックを、上方移動位置及び下方移動位置の双方に付勢して上下何れかの移動位置に保持する付勢手段が設けられたことを特徴とする請求項１記載の引戸用把手の構造。
【請求項３】
前記木口から引戸内へ後退した前記カマ状デッドボルトの後退方向先端部を進入させる干渉回避部が前記昇降ラックに設けられたことを特徴とする請求項１又は２記載の引戸用把手の構造。
【発明の詳細な説明】
【技術分野】
【０００１】
本発明は、引戸の開閉先端部から進退自在となって建物側枠体に係止可能となるカマ状デッドボルトを備えた引戸用の施解錠装置を具備するとともに、特に、開閉用の操作部材となる把手と施錠用の操作部材とを兼用することにより構造を簡素化し、見栄え・操作性を向上させる改良技術に関する。
【背景技術】
【０００２】
引戸には、開閉先端部に回動自在に内設され、この回動によって引戸の木口から進退自在となることにより、引戸閉鎖時に建物側枠体に係止可能となるカマ状デッドボルトを備えたものがある（例えば、特許文献１参照）。引戸は、戸面に平行な方向が開閉方向となるため、一般的に開閉操作部材、例えば指掛け部やハンドル、把手等が開閉先端部に設けられる。したがって、上記したカマ状デッドボルト等の施錠装置を備えた引戸では、把手などの開閉操作部材に加えて施錠操作部材とを併設することとなる。
【０００３】
このため、戸面に複数の操作部材が突出することとなり、引戸の美観を損ねるとともに、引戸組立工数も増える問題があった。このような問題を解消しようとしたものに、例えば特許文献２に開示される引戸用ハンドルがある。この引戸用ハンドルは、引戸の開閉先端部に、カマ状デッドボルトを進退させる施錠機構部が内設され、戸面には開閉操作部材となるハンドルが固定される。このハンドルの固定材座には解錠レバーが回動自在に設けられ、解錠レバーは解錠軸が施錠機構部に挿入されることで、カマ状デッドボルトの進退操作を可能としている。
【０００４】
この引戸用ハンドルによれば、開閉部材であるハンドルの組み付けと同時に、解錠操作部材である解錠レバーが同時に組み付けられ、組み付け作業を良好にできるとともに、ハンドルを把持した指以外の指による施解錠操作を可能にしている。
【特許文献１】特開平１０−６１２８２号公報
【特許文献２】特開平１０−１２１７９３号公報
【発明の開示】
【発明が解決しようとする課題】
【０００５】
しかしながら、上記した引戸用ハンドルは、ハンドルの固定台座に解錠レバーを付設したものであり、別体の部材が集合的に組み付けられているため、複数の操作部材が表出することには変わりはなく、スッキリした外観を得ることができなかった。また、引戸開閉のために、開閉ハンドルを把持する指と、施解錠操作を行うために解錠レバーを操作する指とが別となり、操作が煩わしい問題があった。
【０００６】
本発明は上記状況に鑑みてなされたもので、複数の操作部材が表出することがなく、しかも、開閉操作力を加える指と施解錠操作力を加える指とが同一となる引戸用把手の構造を提供し、もって、簡素な構造で、操作性の向上、見栄えの向上を同時に図ることを目的とする。
【課題を解決するための手段】
【０００７】
次に、上記の課題を解決するための手段を、実施の形態に対応する図面を参照して説明する。
本発明の請求項１記載の引戸用把手の構造は、引戸１９の開閉先端部２１に回動自在に内設され該回動によって引戸１９の木口から進退自在となって建物側枠体１１に係止可能なカマ状デッドボルト４５と、
該カマ状デッドボルト４５の回動方向に沿う外周部に形成されたギア部４９と、
前記引戸１９の開閉先端部２１に上下方向で移動自在に内設され該ギア部４９に噛合する昇降ラック５１と、
前記木口から進退自在となって前記引戸１９の開閉先端部２１に内設され前記木口からの突出位置で前記昇降ラック５１の移動を規制する一方、引戸内に後退した位置で前記昇降ラック５１の移動規制を解除するトリガー５３と、
前記引戸１９の開閉先端部２１の縦框２３に引戸開閉方向に沿う支持軸７１を介して一端が回動自在に支持される第１回動部材６７、及び前記支持軸７１と同方向の連結軸７３を介して一端が該第１回動部材６７の他端に回動自在に連結され他端が前記昇降ラック５１に回動自在に係合される第２回動部材６９からなり、前記連結軸７３を中心にくの字状に折曲可能とされる折曲部６５ａを具備し、該折曲部６５ａがくの字状に曲げられた際に前記縦框２３から戸面に垂直な方向へ所定量突出するハンドル部６５と、
を具備したことを特徴とする。
【０００８】
この引戸用把手の構造では、引戸開放時には、トリガー５３が木口から突出状態となり、昇降ラック５１の移動が規制されて、ハンドル部６５がくの字状に曲げられた状態で、折曲部６５ａが戸面から垂直に突出した状態となって、引戸１９の開閉操作をこの折曲部６５ａにて行える。一方、引戸１９を閉止した際には、トリガー５３が引戸内に後退し、昇降ラック５１の移動規制を解除する。これにより、ハンドル部６５の折曲部６５ａを戸面に垂直な方向へ押し込むことで、昇降ラック５１が移動し、カマ状デッドボルト４５を建物側枠体１１に係止する施錠が行える。
【０００９】
請求項２記載の引戸用把手の構造は、前記昇降ラック５１を、上方移動位置及び下方移動位置の双方に付勢して上下何れかの移動位置に保持する付勢手段５９が設けられたことを特徴とする。
【００１０】
この引戸用把手の構造では、ハンドル部６５が、上下何れかの移動位置に付勢手段５９によって保持される昇降ラック５１により、折曲部６５ａの部分が直線状態又はくの字状態に保持され、且つ、その際の状態切替時にクリック感が得られることとなる。
【００１１】
請求項３記載の引戸用把手の構造は、前記木口から引戸内へ後退した前記カマ状デッドボルト４５の後退方向先端部４５ｂを進入させる干渉回避部５１ｄが前記昇降ラック５１に設けられたことを特徴とする。
【００１２】
この引戸用把手の構造では、引戸内に後退、すなわち解錠時のカマ状デッドボルト４５の後退方向先端部４５ｂが昇降ラック５１の干渉回避部５１ｄに進入することで、カマ状デッドボルト４５と昇降ラック５１との間隔を狭めた配置が可能となる。
【発明の効果】
【００１３】
本発明に係る請求項１記載の引戸用把手の構造によれば、引戸の木口から進退自在なカマ状デッドボルトと、カマ状デッドボルトのギア部に噛合する昇降ラックと、木口からの突出位置で昇降ラックの移動を規制する一方、引戸内に後退した位置で昇降ラックの移動規制を解除するトリガーと、第１回動部材及び第２回動部材からなり連結軸を中心にくの字状に折曲可能となる折曲部を具備し、この折曲部が曲げられた際に縦框から所定量突出するハンドル部とを備えたので、引戸開放時には、トリガーが木口から突出状態となり、これにより、昇降ラックの移動が規制されて、ハンドル部がくの字状に曲げられた状態で、折曲部が戸面から垂直に突出した状態となる。したがって、このくの字状折曲部を従来の把手同様に手指にて掴むことで、引戸の開閉操作を容易に行うことができる。一方、引戸を閉止した際には、トリガーが引戸内に後退し、昇降ラックの移動規制を解除する。これにより、ハンドル部の折曲部を戸面に垂直な方向へ押し込むことで、昇降ラックが移動し、カマ状デッドボルトを建物側枠体に係止する施錠が行える。この際、ハンドル部は、第１回動部材と第２回動部材とが縦框に沿って略直線状となり、引戸からの突出部を皆無にして、外観をスッキリさせ、引戸の見栄えを向上させることができる。また、開閉操作を行う部材と、施錠操作を行う部材とを別体に設ける必要がないので、構造を簡素にでき、生産性を向上できるとともに、部材コストも安価にできる。この結果、開閉操作及び施錠操作の容易な引戸用把手の構造を、簡素な構造で安価に、しかも、見栄え良く構成することができる。
【００１４】
請求項２記載の引戸用把手の構造によれば、昇降ラックを、上方移動位置及び下方移動位置の双方に付勢して上下何れかの移動位置に保持する付勢手段が設けられたので、ハンドル部が、上下何れかの移動位置に保持される昇降ラックにより、直線状態又はくの字状態に保持されるとともに、両状態へのクリック感を生じさせることができ、ハンドル部の操作感を良好にすることができる。
【００１５】
請求項３記載の引戸用把手の構造によれば、木口から引戸内へ後退、すなわち解錠時の際のカマ状デッドボルトの後退方向先端部を進入させる干渉回避部が昇降ラックに設けられたので、引戸内に後退したカマ状デッドボルトの後退方向先端部が干渉回避部に進入することで、カマ状デッドボルトと昇降ラックとの間隔を狭めた配置が可能となり、カマ状デッドボルト進退方向のコンパクト化、すなわち、機構部分を含むこの引戸用把手の構造のコンパクト化を図ることができる。
【発明を実施するための最良の形態】
【００１６】
以下、本発明に係る引戸用把手の構造の好適な実施の形態を図面を参照して詳細に説明する。
図１は本発明に係る引戸用把手の構造が備えられた引戸の開放状態の水平断面図、図２は図１の側面図、図３は図２のＡ−Ａ矢視図、図４は図１のＢ−Ｂ矢視図、図５は昇降ラック及びトリガーの分解斜視図である。
不図示の建物開口部には建物側枠体１１が取り付けられ、建物側枠体１１は係止穴１３の穿設されたストライク１５がネジなどの固定手段１７によって固定されている。この建物側枠体１１の不図示の下方レール部には引戸１９が開閉自在に建て込まれている。例えばアルミサッシからなる引戸１９は、開閉先端部２１となる縦框２３に、例えばペアガラス２５，２５が嵌め込み保持されている。本実施の形態による引戸用把手の構造１００は、この縦框２３の側部２３ａに設けられる。
【００１７】
本実施の形態において、縦框２３は断面四角形の角筒状に形成され、側部２３ａはその室内側の部分に構成される。なお、本実施の形態において、引戸１９は引き違い戸である場合を例に説明するが、この他、片開き引戸であってもよい。さらに、本実施の形態では、縦框２３の一部分に側部２３ａが形成される場合を例に説明するが、側部２３ａは縦框２３と別体であってもよい。
【００１８】
図４に示すように、側部２３ａの前面２７と後面２９には取付穴３１，３３が形成される。後面２９の取付穴３３には引戸用把手の構造１００の台座部３５が被着されている。台座部３５の背面には複数の固定用スタッド３７が突設される。前面２７の取付穴３１にはフロントパネル３９が被着され、フロントパネル３９は貫通したネジ４１によって固定用スタッド３７に螺着される。これにより、引戸用把手の構造１００は、縦框２３を前後方向から挟持した状態で取付け固定されている。
【００１９】
引戸用把手の構造１００を構成する施解錠部内部には、戸面、本実施の形態ではペアガラス２５面に垂直な軸４３回りに回動自在となったカマ状デッドボルト４５が設けられ、カマ状デッドボルト４５は回動によってフロントパネル３９の開口４７から係止先端４５ａが上向きとなるよう突出し、ストライク１５の係止穴１３に係止可能となる。
【００２０】
カマ状デッドボルト４５の回動方向に沿う外周部にはギア部４９が形成される。施解錠部の内部には上下方向で移動自在な昇降ラック５１が内設され、昇降ラック５１はカマ状デッドボルト４５のギア部４９にラック５１ａを噛合する。すなわち、昇降ラック５１が下方へ移動されることにより、カマ状デッドボルト４５は時計回りに回転され、フロントパネル３９から突出される。一方、昇降ラック５１が上方へ移動されることにより、カマ状デッドボルト４５は反時計回りに回転され、引戸１９内に後退される。
【００２１】
施解錠部内にはフロントパネル３９から進退自在なトリガー５３が内設される。トリガー５３は、先端５３ａが、フロントパネル３９の開口５５から突出され、図５に示す段部５３ｂによって開口５５からの抜けが阻止されている。このトリガー５３は、付勢手段５７により、フロントパネル３９から突出する方向に常時付勢されている。トリガー５３は、引戸１９が閉止すると、建物側枠体１１に先端５３ａが押圧され、付勢手段５７に抗して引戸１９内に後退する。トリガー５３の基端には上下に貫通する規制解除穴５３ｃが形成され、規制解除穴５３ｃはトリガー５３が引戸１９内に後退した位置でラック５１ａの下部挿入端５１ｂを嵌入可能とする。また、トリガー５３は、フロントパネル３９から先端５３ａを突出させた位置では規制解除穴５３ｃが下部挿入端５１ｂからずれて、昇降ラック５１の下降を阻止するように働く。つまり、トリガー５３は、フロントパネル３９からの突出位置で昇降ラック５１の移動を規制する一方、引戸１９内に後退した位置で昇降ラック５１の移動規制を解除するよう働く。
【００２２】
施解錠部の内部にはシーソーバネ５９が設けられ、シーソーバネ５９は一端が施解錠部側の軸６１に支持され、他端が昇降ラック５１側の軸６３に支持される。これにより、シーソーバネ５９は、昇降ラック５１を、上方移動位置及び下方移動位置の双方に付勢して上下何れかの移動位置に保持するよう働く。また、昇降ラック５１は、引っ張りコイルバネ６０によって、上方の移動方向へ付勢されている。
【００２３】
また、昇降ラック５１には干渉回避部５１ｄが凹設されている。干渉回避部５１ｄは、フロントパネル３９から引戸１９内へ後退したカマ状デッドボルト４５の後退方向先端部４５ｂを進入させる。解錠状態となってフロントパネル３９から引戸１９内へ後退したカマ状デッドボルト４５の後退方向先端部４５ｂを進入させる干渉回避部５１ｄが昇降ラック５１に設けられることで、引戸１９内に後退したカマ状デッドボルト４５と昇降ラック５１との間隔を狭めた配置が可能となり、カマ状デッドボルト進退方向のコンパクト化を図ることができるようになっている。
【００２４】
縦框２３の後面２９にはハンドル部６５が設けられている。ハンドル部６５は、第１回動部材６７と、第２回動部材６９とからなる。第１回動部材６７は、引戸開閉方向に沿う支持軸７１を介して一端が回動自在に台座部３５に支持される。第２回動部材６９は、支持軸７１と同方向の連結軸７３を介して一端が第１回動部材６７の他端に回動自在に連結され、他端が昇降ラック５１の突設ピン５１ｃに回動自在に係合されている。したがって、ハンドル部６５は、昇降ラック５１の昇降移動に伴って中途の連結軸７３を中心にくの字状に折曲可能となる折曲部６４ａを備えてリンク機構を構成し、この折曲部６５ａがくの字状に曲げられた際に縦框２３から戸面に垂直な方向へ所定量Ｔ突出する。
【００２５】
次に、上記の構成を有する引戸用把手の構造１００の作用を説明する。
図６は引戸閉止状態におけるハンドル部の正面図、図７は引戸施錠状態の水平断面図、図８は引戸施錠状態の要部縦断面図である。
引戸１９の開放時、図３に示すように、ハンドル部６５は、連結軸７３を中心にくの字状に曲げられた折曲部６５ａが、縦框２３から戸面に垂直な方向で突出した状態となる。したがって、引戸１９は、この折曲部６５ａが手指に把持されることで開閉操作可能となる。この状態では、図４に示すように、昇降ラック５１が上方の移動位置となり、下降がトリガー５３により阻止されている。したがって、折曲部６５ａは押し込み不能となっている。
【００２６】
一方、折曲部６５ａが把持され、引戸１９が閉動されると、トリガー５３が建物側枠体１１に当接し、引戸１９内に後退する。トリガー５３は、引戸１９内に後退することで、規制解除穴５３ｃが昇降ラック５１の下部挿入端５１ｂを嵌入する。これにより、昇降ラック５１は、移動規制が解除され、下方への移動が可能となる。
【００２７】
引戸１９の閉止状態において、図６に示すように、折曲部６５ａを戸面に垂直な方向に押し込むことにより、第２回動部材６９を介して昇降ラック５１が引っ張りコイルバネ６０に抗して下方へスライド移動されることとなり、その結果、ハンドル部６５は縦框２３に沿った直線状態となる。
【００２８】
これと同時に、昇降ラック５１に噛合したカマ状デッドボルト４５がフロントパネル３９から突出され、図７，図８に示すように、カマ状デッドボルト４５の係止先端４５ａがストライク１５の係止穴１３に係止することとなる。つまり、閉動操作に使用した同一の折曲部６５ａを、引戸閉止時に、戸面に垂直な方向へ押し込むことで、カマ状デッドボルト４５を建物側枠体１１に係止する施錠が行えることとなる。
【００２９】
したがって、上記の引戸用把手の構造１００によれば、引戸１９のフロントパネル３９から進退自在なカマ状デッドボルト４５と、カマ状デッドボルト４５のギア部４９に噛合する昇降ラック５１と、フロントパネル３９からの突出位置で昇降ラック５１の移動を規制する一方、引戸内に後退した位置で昇降ラック５１の移動規制を解除するトリガー５３と、第１回動部材６７及び第２回動部材６９からなり連結軸７３を中心にくの字状に曲げられた折曲部６５ａが縦框２３から所定量突出するハンドル部６５とを備えたので、引戸開放時には、トリガー５３がフロントパネル３９から突出状態となり、これにより、昇降ラック５１の移動が規制されて、ハンドル部６５がくの字状に曲げられた状態で、折曲部６５ａが戸面から垂直に突出した状態となる。したがって、このくの字状折曲部６５ａを手指に掴むことで、引戸１９の開閉操作を容易に行うことができる。
【００３０】
一方、引戸１９を閉止した際には、トリガー５３が引戸内に後退し、昇降ラック５１の移動規制を解除する。これにより、ハンドル部６５の折曲部６５ａを戸面に垂直な方向へ押し込むことで、昇降ラック５１が移動し、カマ状デッドボルト４５を建物側枠体１１に係止する施錠が行える。
【００３１】
この際、ハンドル部６５は、第１回動部材６７と第２回動部材６９とが縦框２３に沿って直線状となり、引戸１９からの突出部分を皆無にして、外観をスッキリさせ、引戸１９の見栄えを向上させることができる。また、開閉操作用の部材と、施錠操作用の部材とを別体に設ける必要がないので、構造を簡素にでき、生産性を向上できるとともに、部材コストも安価にできる。この結果、開閉操作及び施錠操作の容易な引戸用把手の構造１００を、簡素な構造で安価に、しかも、見栄え良く構成することができる。
【００３２】
また、昇降ラック５１を、上方移動位置及び下方移動位置の双方に付勢して上下何れかの移動位置に保持するシーソーバネ５９が設けられたので、ハンドル部６５が、上下何れかの移動位置に保持される昇降ラック５１により、直線状態又はくの字状態に保持されるとともに、クリック感を生じさせることができ、ハンドル部６５の操作感を良好にすることができる。
【図面の簡単な説明】
【００３３】
【図１】本発明に係る引戸用把手の構造が備えられた引戸の開放状態の水平断面図である。
【図２】図１の側面図である。
【図３】図２のＡ−Ａ矢視図である。
【図４】図１のＢ−Ｂ矢視図である。
【図５】昇降ラック及びトリガーの分解斜視図である。
【図６】引戸閉止状態におけるハンドル部の正面図である。
【図７】引戸施錠状態の水平断面図である。
【図８】引戸施錠状態の要部縦断面図である。
【符号の説明】
【００３４】
１１…建物側枠体
１９…引戸
２１…開閉先端部
２３…開閉先端部の縦框
４５…カマ状デッドボルト
４５ｂ…後退方向先端部
４９…ギア部
５１…昇降ラック
５１ｄ…干渉回避部
５３…トリガー
５９…付勢手段（シーソーバネ）
６５…ハンドル部
６５ａ…折曲部
６７…第１回動部材
６９…第２回動部材
７１…支持軸
７３…連結軸
１００…引戸用把手の構造
【図１】
2008057178.tif 000003
【図２】
2008057178.tif 000004
【図３】
2008057178.tif 000005
【図４】
2008057178.tif 000006
【図５】
2008057178.tif 000007
【図６】
2008057178.tif 000008
【図７】
2008057178.tif 000009
【図８】
2008057178.tif 000010